(57)【要約】【課題】従来の塗膜転写具は、使用に際し不注意で本体が傾くと、テープ幅全部が転写されず幅の一部が欠けるという意図した転写が行われないことが多々あった。そのため、塗膜が粘着剤の場合は粘着性能が損なわれ、また文字等を隠蔽する修正膜の場合は、意図した修正が出来なかった。【解決手段】塗膜に押圧を与える転写ローラーを支持する転写ヘッドを分割し、転写ローラーの軸の両端を別個に軸支し、その軸支位置を別個に揺動させることで転写ローラーの姿勢を、常に被転写面と平行になるようにした。【選択図】図８
2013022952.tif 000002
【特許請求の範囲】
【請求項１】
片面に塗膜が塗布されたテープ基材と、該テープ基材が巻装され回転可能な供給リールと、該テープ基材が該供給リールに巻装されて成すテープロールの外周から繰り出された該テープ基材を被転写面に押し付けて該塗膜を自転しながら転写する転写ローラーと、該塗膜が転写された後の使用済みテープ基材を回転して巻き取る巻き取りリール、が本体内に配設され、該供給リールと該巻き取りリールが同期して回転し、該本体を手で保持しながら掃引することによって塗膜を連続的に転写する塗膜転写具であって、
該転写ローラーを支持する転写ヘッドが分割されて、それぞれ、その一端に於いて、該本体内に個別に回動可能に枢着され、かつ他端において該転写ローラーの回転軸の両端を個別に軸支しており、かつ該回動軌跡面は該本体が掃引される方向と平行しており、分割された該転写ヘッドはそれぞれ回動の一方向に付勢されていることを特徴とする塗膜転写具。
【請求項２】
分割された前記転写ヘッドの各々に弾性腕部が一体で形成されていることを特徴とする請求項１記載の塗膜転写具。
【発明の詳細な説明】
【技術分野】
【０００１】  本発明は、使用者が手に持って、被転写面に押し付けながら掃引する操作によって塗膜を転写するための塗膜転写具に関するものである。
【背景技術】
【０００２】  粘着剤や、文字等を隠蔽する塗膜を転写するための塗膜転写具はひろく使用されている。これらの塗膜転写具に於いては、自転する転写ローラーで構成された押圧部で塗膜が塗られたテープ基材を塗膜と反対側から被転写面に押圧転写する方法が多く用いられている。【０００３】  塗膜転写具の使用時は、本体を手で持ち本体より突出した転写ローラーを被転写面に当て付けて手前に傾けながら掃引する。すなわち転写ローラーがテープ基材の塗膜が塗布されていない面を被転写面に押圧しながら移動することで反対面の塗膜が転写されるが、テープ基材の幅の全部を確実に転写するためには、本体を被転写面に対し掃引方向と直交した面内で左右に傾かないように維持しながら押し付けてひく丁寧な操作が要求される。【０００４】  仮にこの操作が不適正であると、自転のため両端を軸支された転写ローラーはいずれかの一端の側が被転写面より浮いた状態になり、テープ基材の幅の一部分しか転写されないという不具合を生じる。【０００５】  上記の不具合に対して、常に転写ローラーの回転軸が被転写面に対し平行となるよう転写ローラーの姿勢を可動にし、転写性を向上させる改良は種々提案されている。【０００６】  それらの従来から提案されている改良内容を大別すると、以下の３点となる。【０００７】  ひとつは、転写ローラーの両端を軸支する腕を有した転写ヘッドに弾性を与え、片側だけ押された場合に弾性変形して転写ローラーの姿勢を被転写面に沿わせるものである。（例えば、特許文献１、特許文献５、特許文献９、特許文献１１参照）【０００８】  ふたつ目は、本体の掃引方向と概略並行な回動軸によって転写ヘッドを回動可能にし、転写ローラーの姿勢を被転写面に沿わせるものである。（例えば、特許文献２、特許文献３、特許文献４、特許文献７、特許文献８参照）【０００９】  三つ目は、本体の掃引方向と直交する回動軸によって転写ヘッドを揺動可能にし、かつ転写ヘッドの回動軸穴の両端をひろげて回動軸中央を支点とし回動軸に対し転写ヘッドが傾くことを可能にして、転写ローラーの姿勢を被転写面に沿わせるものである。（例えば、特許文献６、特許文献１０、特許文献１２参照）【００１０】  なお、引用した特許文献においては必ずしも転写ローラーを設けず、ヘラ状の押圧部で転写する構成もあるが、これらは転写ローラーの回転を禁止したものと考えられるので、すべて列挙し、押圧部と転写ローラーを同義として扱った。
【先行技術文献】
【特許文献】
【００１１】
【特許文献１】実開平５−５１６９４号公報
【特許文献２】実開平７−１３８６０号公報
【特許文献３】特開平８−１７５０９５号公報
【特許文献４】特開平１１−１７０７７０号公報
【特許文献５】再公表ＷＯ００／２１７６１号公報
【特許文献６】特開２００３−２５２２号公報
【特許文献７】特開２００３−１３６８９５号公報
【特許文献８】特開２００４−２６８４１２号公報
【特許文献９】特開２００６−２８１４９６号公報
【特許文献１０】特開２００９−１３２１３２号公報
【特許文献１１】特開２０１０−４６８２６号公報
【特許文献１２】特開２０１１−２０８５８号公報
【発明の概要】
【発明が解決しようとする課題】
【００１２】  しかしながら、前記ひとつ目の、転写ヘッドに弾性を与えるものについては、使用者が押さえる力に対して十分な剛性を維持しながら先端の押圧部あるいは転写ローラーを可動としなければならず、幅方向で不均一なわずかな力で弾性変形させ押圧部あるいは転写ローラー被転写面に沿わせることが難しい。【００１３】  前記ふたつ目の、本体の掃引方向と概略並行な回動軸を設けるものについては、押圧部あるいは転写ローラーのテープ基材幅方向両端の上下動をさせるため、テープ基材幅の中央に回動軸を設けることになり、概略テープ基材幅と等しい押圧部あるいは転写ローラーの幅方向両端の回動半径が非常に小さくなり、使用に際して不自然な感触となる。【００１４】  前記三つ目の、本体の掃引方向と直交する回動軸に対し、回動軸中央でわずかな隙間を維持して嵌められ両端を漏斗上に広げた穴の場合も、前期ふたつ目の欠点と同様、押圧部あるいは転写ローラーの幅方向両端の回動半径が非常に小さく、使用に際して不自然な感触となる。【００１５】  また、前記ふたつ目及び三つ目の方法においては、押圧部あるいは転写ローラーの両端の上下動を、つねにはその真ん中に位置させる付勢手段を設けることが望ましいが、そのためには部品形状が複雑化することが否めない。【００１６】  以上のように、従来知られている方法では、使用者にとって違和感を伴う感触が残り、その目的を完全に果たしえない。
【課題を解決するための手段】
【００１７】  本発明は転写ヘッドを分割してその一端（自由端部）で転写ローラーの回転軸両端をそれぞれ別個に軸支し、かつ他端において、それぞれ別個に回動できるように本体内に枢着した。またその回動軌跡面を本体掃引方向と平行にして、転写ヘッドの回動に伴う使用者への違和感を解消した。【００１８】  分割された転写ヘッドには、それぞれに弾性腕部を一体に形成して、転写ヘッドの回動を一方向に付勢し、つねには転写ローラー回転軸をテープ基材の移動方向と直交した状態に保たれるように構成した。
【発明の効果】
【００１９】  本発明の塗膜転写具によれば、本体掃引方向と直交した面内での塗膜転写具の左右への傾き（以下、リーンと称す）に対し、分割された転写ヘッドが独立して回動追従し常に転写ローラー軸を被転写面に対し平行に保つので、テープ基材幅方向での転写むらを完全に排除可能となる。【００２０】  また、転写ヘッドの回動軌跡面は、本体掃引方向と同じ向きであり、転写ヘッドが回動する際に塗膜転写具のぶれが発生せず自然な操作感を維持できる。【００２１】  さらに、転写ヘッドの一端（自由端部）の回転ローラー軸を軸支する穴と、本体に枢着される回動穴との間隔（アーム長）を十分にとれるので、わずかな角度の回動で被転写面に追従可能である。【００２２】  また、テープ基材の転写を直線状でなく円弧状で連続的に行う場合には、意図的に円弧の内側にリーンさせることで、転写ローラー回転軸と被転写面との並行関係を維持しながら容易かつ自然に転写が容易に行える。【００２３】  以上のように、本発明の効果は明らかなものである。
【図面の簡単な説明】
【００２４】
【図１】本発明の実施例の外観斜視図である。
【図２】本発明の実施例に於ける、本体のカバー部、転写ヘッド部分の分解斜視図である。
【図３】本発明の実施例に於ける、本体のカバー部を含まない平面図である。なお、巻き取りリール５のツバ部を一部切り欠いた状態である。
【図４】図１のＳ−Ｓ断面図である。
【図５】本発明の実施例に於ける、使用者が使う状態を示した平面図である。
【図６】本発明によらない転写ヘッド部分の拡大分解斜視図である。
【図７】本発明によらない使用時の状態を示す正面図である。
【図８】本発明の実施例に於ける、本体のカバー部を含まず転写ヘッド部分を拡大した部分斜視図である。
【図９】本発明の実施例に於ける、使用時の状態を示す正面図である。
【発明を実施するための形態】
【００２５】  以下、本発明の実施の形態を、図を基に説明する。
【００２６】  図１、図２、図３、図４に示すとおり、本体２内に供給リール４、巻き取りリール５が配設されて、供給ギア４ａ、巻き取りギア５ａによって同期して回転する。
【００２７】  尚、供給リール４に巻装されたテープ基材の外径と、巻き取りリール５に巻かれる使用済みテープ基材の外径は、転写使用量に従い変化するので、以上二つの外径の差を吸収しテープ基材３にたるみを生じさせないようにスリップを応用した差動手段が設けられるが、既存の手段でありかつ種々の構成が用いられているため省略した。
【００２８】  本体２の下端より突出した状態で転写ローラー６が転写ヘッド７を介して配設されている。また転写ローラー６には弾性を有した弾性チューブ６ｂが嵌められて、転写性を向上させている。
【００２９】  以上は、従来例と同様である。本発明は転写ローラー６の両端の回転軸６ａを分割された別個の転写ヘッド７の一端（自由端）で軸支し、その他端をそれぞれ別個に回動可能に本体２に枢着し、かつ回動軸２ａを供給リール４及び巻き取りリール５の回転軸と平行に設けたことが特徴である。すなわち転写ヘッド７の回動中心７ｆは本体２が掃引される方向と直交するように配設されている。
【００３０】  転写ヘッド７は支持アーム７ａの一端（自由端）に転写ローラー支持穴７ｂを有し、他端の回動穴７ｃが本体２の回動軸２ａに挿入される。また本体２内に延伸するように弾性腕部７ｄが一体に形成されている。テープ基材３の幅中央で対称形状をなした複数の転写ヘッド７が配設されている。
【００３１】  転写ローラー支持穴７ｂの径は回転軸６ａの径よりも若干大きく、転写ローラー６が支持アーム７に対して傾くことが可能である。また突起７ｅは本体２の回動規制穴２ｂでその回動角度を規制されている。図示面と反対側も同様である。
【００３２】  弾性腕部７ｄは本体２のボス２ｃに弾接して、転写ヘッド７の回動を、図３における反時計方向に付勢している。
【００３３】  転写ローラー６を分割された複数の転写ヘッド７で挟み、転写ヘッド７が本体２に枢着された状態に於いて、転写ローラー６及び転写ヘッド７は、図４における左右方向に適正な遊び（がた）をもって維持されている。
【００３４】  図５は、本発明の塗膜転写具１が使用される状態を示している。本体２は、使用者の手１１で保持され、被転写面１０に押さえつけられ、後ろ（紙面右方向）に傾けながら後ろに掃引される。この時、転写ヘッド７は時計方向に回動させられた位置をとる。
【００３５】  図６及び図７は、本発明によらない場合を示している。図６に示すように転写ヘッド７はひとつの部品で、二股に分かれた支持アーム７ａで転写ローラー６を保持している。この構成では、図７に示すように、仮想垂直線１２より内側（紙面右方向）に角度Ａだけリーンした時に転写ローラー６の回転軸中心６ｃが被転写面１０に対して角度Ａがつき、転写ローラー６の片側（紙面左側）が浮くため、テープ基材３の幅方向の転写が損なわれる。
【００３６】  図８及び図９は、前記の図６及び図７の場合に対して、本発明による状態、動作を示したものである。
【００３７】  図８及び図９に於いては右方向（紙面右方向）に本体２が角度Ａだけリーンしている。
【００３８】  図８に於いて，転写ヘッド７の支持アーム７ａが被転写面１０となす角度である接触角７ｇは、転写ヘッド７が分割されて、手前側と奥側でそれぞれ別個に回動できるので、図示された手前と図示されていない奥では異なる。この図８の場合、接触角７ｇは図示された手前側が、図示されていない奥側よりも小さい。
【００３９】  この結果、転写ローラー６の回転中心６ｃは、転写ヘッド７の回動中心７ｆと平行でなくなるが、図９に示すように、被転写面１０に直交した正面図（前方向から見た場合）では、回転中心６ｃと被転写面１０の平行が保たれるので、図８のＷで示すテープ基材３の幅寸法は欠けることなくすべてが転写される。
【００４０】  以上のように、本発明による、分割された転写ヘッド７は、リーンに対してそれぞれ別個の接触角７ｇをとりながら、常に、転写ローラー６の両端を被転写面１０に当接させる。
【００４１】  図８に示すように、上方向から見た回動中心７ｆと回転中心６ｃがなす相対角度は、リーンのない場合は０度（平行）であるが、リーンによってわずかな角度を有し刻々と限られた範囲で変化し続ける。テープ基材３は柔軟性を持っておりかつ供給リールから離れて転写ローラーを回り再び供給リールに接触する間の長いパスがあるので、この角度変化はそれぞれで吸収され使用上の影響はない。
【産業上の利用可能性】
【００４２】  以上述べたように、本発明によって転写安定性が大幅に高まり、確実にテープ基材幅一杯を転写できるので、使用者に対し使い勝手を大幅に向上させ、あらゆる分野でひろく利用されるものである。
【符号の説明】
【００４３】１        塗膜転写具
２        本体
２ａ      回動軸                              ２ｂ    回動規制穴
２ｃ      ボス
３        テープ基材
４        供給リール                            ４ａ    供給ギア
５        巻き取りリール                        ５ａ    巻き取りギア
６        転写ローラー
６ａ      回転軸                              ６ｂ    弾性チューブ
６ｃ      回転中心
７        転写ヘッド
７ａ      支持アーム                          ７ｂ    転写ローラー支持穴
７ｃ      回動穴                              ７ｄ    弾性腕部
７ｅ      突起                                ７ｆ    回動中心
７ｇ      接触角
１０      被転写面
１１      使用者の手
１２      仮想垂直線
【図１】
2013022952.tif 000003
【図２】
2013022952.tif 000004
【図３】
2013022952.tif 000005
【図４】
2013022952.tif 000006
【図５】
2013022952.tif 000007
【図６】
2013022952.tif 000008
【図７】
2013022952.tif 000009
【図８】
2013022952.tif 000010
【図９】
2013022952.tif 000011